(57)【特許請求の範囲】
【請求項１】
第１の中心導体、該第１の中心導体の周囲に設けられている絶縁体、該絶縁体の周囲に設けられている第１の外部導体、及び、該第１の外部導体の周囲に設けられている絶縁被膜により構成されている同軸ケーブルであって、先端において該絶縁被膜が除去されて前記第１の外部導体が露出していると共に該第１の外部導体が除去されて該絶縁体が露出している同軸ケーブルに取り付けられる同軸コネクタであって、
前記同軸ケーブルが延在している延在方向に略直交する中心軸を有する円筒部、及び、該円筒部から該同軸ケーブルに沿って延在している保持部を含んでおり、金属からなるハウジングと、
前記ハウジングに取り付けられているブッシングと、
中心軸が延在する方向から平面視したときに前記円筒部の中心に位置し、かつ、前記ブッシングにより前記ハウジングと絶縁されているソケットであって、前記第１の中心導体と接続されるソケットと、
を備えており、
前記保持部は、
前記第１の外部導体を保持する第１のかしめ部と、
前記絶縁被膜に接触する接触部と、
を有しており、
前記接触部が前記絶縁被膜に接触する面には、先端に絶縁部材が設けられた絶縁部を介して前記第１の中心導体に接近するように該絶縁被膜に刺さる突起が設けられていること、
を特徴とする同軸コネクタ。
【請求項２】
前記絶縁部材の誘電率が６以下であること、
を特徴とする請求項１に記載の同軸コネクタ。
【請求項３】
前記接触部は、前記絶縁被膜を保持する第２のかしめ部であること、
を特徴とする請求項１又は請求項２のいずれかに記載の同軸コネクタ。
【請求項４】
前記第２のかしめ部は、前記絶縁被膜の周囲に巻き付けられる板状部材であること、
を特徴とする請求項３に記載の同軸コネクタ。
【請求項５】
前記保持部は、
前記ブッシングを保持する第３のかしめ部を、
更に有していること、
を特徴とする請求項１ないし請求項４のいずれかに記載の同軸コネクタ。
【請求項６】
前記円筒部には、レセプタクルの円筒状の第２の外部導体が挿入され、
前記ソケットには、レセプタクルの第２の中心導体が接続されること、
を特徴とする請求項１ないし請求項５のいずれかに記載の同軸コネクタ。
【発明の詳細な説明】
【技術分野】
【０００１】
本発明は、同軸コネクタに関し、より特定的には、同軸ケーブルの先端に取り付けられる同軸コネクタに関する。
【背景技術】
【０００２】
従来の同軸コネクタとしては、例えば、特許文献１に記載の同軸コネクタが知られている。該同軸コネクタは、同軸ケーブルの外装被膜材上に巻き付けられる連結部材を備えている。連結部材には、外装被膜材に突き刺さる複数の突起が設けられている。これにより、同軸コネクタは、同軸ケーブルに対して強固に連結されるようになる。
【０００３】
しかしながら、特許文献１に記載の同軸コネクタでは、特性インピーダンスが所望の特性インピーダンスからずれるおそれがある。より詳細には、連結部材は、金属薄板により作製されている。そのため、突起が外装被膜材に突き刺さると、突起が同軸ケーブルの中心導体に接近してしまう。その結果、突起と同軸ケーブルとの間に容量が形成され、同軸コネクタの特性インピーダンスが所望の特性インピーダンス（例えば、５０Ω）からずれてしまう。
【先行技術文献】
【特許文献】
【０００４】
【特許文献１】特開平５−２１７６３８号公報
【発明の概要】
【発明が解決しようとする課題】
【０００５】
そこで、本発明の目的は、同軸ケーブルに強固に固定できると共に、特性インピーダンスが所定の特性インピーダンスからずれることを抑制できる同軸コネクタを提供することである。
【課題を解決するための手段】
【０００６】
本発明の一形態に係る同軸コネクタは、第１の中心導体、該第１の中心導体の周囲に設けられている絶縁体、該絶縁体の周囲に設けられている第１の外部導体、及び、該第１の外部導体の周囲に設けられている絶縁被膜により構成されている同軸ケーブルであって、先端において該絶縁被膜が除去されて前記第１の外部導体が露出していると共に該第１の外部導体が除去されて該絶縁体が露出している同軸ケーブルに取り付けられる同軸コネクタであって、前記同軸ケーブルが延在している延在方向に略直交する中心軸を有する円筒部、及び、該円筒部から該同軸ケーブルに沿って延在している保持部を含んでおり、金属からなるハウジングと、前記ハウジングに取り付けられているブッシングと、中心軸が延在する方向から平面視したときに前記円筒部の中心に位置し、かつ、前記ブッシングにより前記ハウジングと絶縁されているソケットであって、前記第１の中心導体と接続されるソケットと、を備えており、前記保持部は、前記第１の外部導体を保持する第１のかしめ部と、前記絶縁被膜に接触する接触部と、を有しており、前記接触部が前記絶縁被膜に接触する面には、先端に絶縁部材が設けられた絶縁部を介して前記第１の中心導体に接近するように該絶縁被膜に刺さる突起が設けられていること、を特徴とする。
【発明の効果】
【０００７】
本発明によれば、同軸ケーブルに強固に固定できると共に、特性インピーダンスが所定の特性インピーダンスからずれることを抑制できる。
【図面の簡単な説明】
【０００８】
【図１】本発明の一実施形態に係る同軸コネクタの外観斜視図である。
【図２】同軸コネクタの分解斜視図である。
【図３】同軸コネクタの断面構造図である。
【図４】同軸コネクタのハウジングの組立て途中における斜視図である。
【図５】同軸コネクタの組立て途中における分解斜視図である。
【図６】同軸コネクタの組立て途中における分解斜視図である。
【図７】コンピュータシミュレーションの結果を示したグラフである。
【図８】コンピュータシミュレーションの結果を示したグラフである。
【図９】変形例に係る同軸コネクタの外観斜視図である。
【図１０】変形例に係る同軸コネクタの分解斜視図である。
【発明を実施するための形態】
【０００９】
以下に、本発明の一実施形態に係る同軸コネクタについて、図面を参照して説明する。
【００１０】
（同軸コネクタの構成）
図１は、本発明の一実施形態に係る同軸コネクタ１０の外観斜視図である。図２は、同軸コネクタ１０の分解斜視図である。図３は、同軸コネクタ１０の断面構造図である。図４は、同軸コネクタ１０のハウジング１２の組立て途中における斜視図である。図１ないし図３（特に、図２参照）において、ハウジング１２、ブッシング１４及びソケット１６が重ねられる方向をｚ軸方向とする。ｚ軸方向の正方向は、ハウジング１２からソケット１６へと向かう方向である。また、同軸ケーブル２２０が延在している方向をｘ軸方向とし、ｘ軸方向とｚ軸方向に直交する方向をｙ軸方向とする。ｘ軸方向の正方向は、同軸ケーブル２２０からソケット１６へと向かう方向である。ｘ軸方向は、ｚ軸方向に直交している。
【００１１】
同軸コネクタ１０は、図１及び図２に示すように、ハウジング１２、ブッシング１４及びソケット１６により構成されている。同軸コネクタ１０は、図３（ａ）及び図３（ｂ）に示すように、外部導体２３２及び中心導体２３４を有する示したレセプタクル２３０に対して、着脱可能である。
【００１２】
同軸ケーブル２２０は、図２に示すように、絶縁被膜２２１、外部導体２２２、絶縁体２２３及び中心導体２２４により構成されている。絶縁体２２３は、中心導体２２４の周囲に設けられており、弾性を有している。外部導体２２２は、絶縁体２２３の周囲に設けられている。絶縁被膜２２１は、外部導体２２２の周囲に設けられており、弾性を有している。また、同軸ケーブル２２０の先端において絶縁被膜２２１が除去されて外部導体２２２が露出している。更に、同軸ケーブル２２０の先端において外部導体２２２が除去されて絶縁体２２３が露出している。
【００１３】
ハウジング１２は、１枚の金属板（例えば、ばね用りん青銅）により作製され、図２及び図４に示すように、円筒部２０、背面部２１、保持部２３及び固定部２４を含んでいる。
【００１４】
円筒部２０は、ｚ軸方向に延在する中心軸を有しており、図４に示すように、ｚ軸方向の正方向側に位置する開口Ｏ１及びｚ軸方向の負方向側に位置する開口Ｏ２を有している。ただし、円筒部２０は、一部（ｘ軸方向の負方向側の部分）が切り欠かれている。
【００１５】
背面部２１は、円筒部２０に接続されており、図４の状態から９０度だけ折り曲げられて、図２に示すように、円筒部２０の開口Ｏ２を覆う板状部材である。背面部２１上には、ブッシング１４が載置される。
【００１６】
固定部２４は、円筒部２０に接続され、図２に示すように、ブッシング１４をｙ軸方向の両側から挟んでいる。固定部２４は、図４に示すように、ｚ軸方向の正方向側から開口Ｏ１を平面視したときに、円筒部２０の端部のそれぞれに設けられている。より詳細には、２つの固定部２４は、円筒部２０が切り欠かれることにより形成される２つの端部からｘ軸方向の負方向側へと延在し、互いに対向している板状部材である。
【００１７】
また、固定部２４には、湾曲部３３が設けられている。湾曲部３３は、図４に示すように、固定部２４の間隔が広がるように固定部２４の一部がｙ軸方向の正方向側又は負方向側に湾曲させられることにより形成されている。
【００１８】
保持部２３は、図１及び図２に示すように、円筒部２０から同軸ケーブル２２０に沿って延在しており、具体的には、背面部２１のｘ軸方向の負方向側に接続されている。保持部２３は、図４に示すように、かしめ部２６，２８及び接触部３０を有している。
【００１９】
かしめ部２６は、同軸コネクタ１０の組立て前の状態において、図２に示すように、背面部２１のｘ軸方向の負方向側に設けられているＵ字状の板状部材である。かしめ部２６は、図１に示すように曲げられることにより、ブッシング１４、固定部２４及び絶縁体２２３の周囲に巻き付けられている。これにより、かしめ部２６は、固定部２４及び絶縁体２２３に圧接する。この際、固定部２４及び絶縁体２２３は、かしめ部２６に押されてブッシング１４に圧接する。よって、固定部２４及びかしめ部２６は、ブッシング１４を保持している。以上より、かしめ部２６は、ブッシング１４、ソケット１６及び同軸ケーブル２２０をハウジング１２に固定する役割を果たす。
【００２０】
かしめ部２８は、同軸コネクタ１０の組立て前の状態において、図４に示すように、かしめ部２６のｘ軸方向の負方向側に設けられているＵ字状の板状部材である。かしめ部２８は、図１に示すように曲げられることにより、外部導体２２２の周囲に巻き付けられて、同軸ケーブル２２０の外部導体２２２を保持する。これにより、かしめ部２８は、同軸ケーブル２２０をハウジング１２に固定する役割を果たす。
【００２１】
接触部３０は、図２及び図４に示すように、かしめ部２８のｘ軸方向の負方向側に設けられている平板状部材である。接触部３０は、図１に示すように、かしめ部２８が外部導体２２２の周囲に巻き付けられることにより、絶縁被膜２２１に接触する。
【００２２】
また、接触部３０の絶縁被膜２２１に接触する面（すなわち、ｚ軸方向の正方向側の面）には、ｚ軸方向の正方向側に向かって突出する突起６０ａ，６０ｂが設けられている。突起６０ａ，６０ｂは、ｚ軸方向の正方向側の先端において尖った形状をなしており、具体的には、横倒しされた三角柱である。そして、突起６０ａ，６０ｂは、ｙ軸方向に並ぶように配置されている。
【００２３】
更に、突起６０ａ，６０ｂの表面には、樹脂等の絶縁材が塗布されることによって絶縁部が形成されている。突起６０ａ，６０ｂは、接触部３０が絶縁被膜２２１に接触することにより、絶縁被膜２２１に刺さるようになる。これにより、突起６０ａ，６０ｂは、同軸ケーブル２２０をハウジング１２に固定する役割を果たす。突起６０ａ，６０ｂの金属部分のｚ軸方向の高さは、例えば、２０μｍ以上１００μｍ以下である。
【００２４】
絶縁部は、例えば、誘電率２．３未満のフッ素が塗布されて形成されてもよいし、誘電率が９〜１０のアルミナ等のセラミックが溶射されて形成されてもよいし、誘電率が４．４のエポキシ等のプラスチックが溶射されて形成されてもよい。絶縁部のｚ軸方向の高さは、１０μｍ以上１００μｍ以下であることが好ましい。
【００２５】
なお、絶縁部は、突起６０ａ，６０ｂの少なくとも先端に形成されていればよい。そこで、突起６０ａ，６０ｂの先端における金属部分の表面は、他の部分よりも粗くなるように加工されていることが好ましい。これにより、絶縁部が剥離することが抑制される。
【００２６】
ブッシング１４は、樹脂（例えば、液晶ポリマー）からなる絶縁体により構成されており、ハウジング１２とソケット１６とを絶縁する役割を果たしている。ブッシング１４は、ハウジング１２に取り付けられており、図２に示すように、円形部３６及び保持部３８により構成されている。
【００２７】
円形部３６は、ソケット１６を保持する役割を果たし、図２に示すように、背面部３９及び円筒部４１により構成されている。背面部３９は、ｚ軸方向から平面視したときに、円形をなす板状部材であり、ブッシング１４がハウジング１２に取り付けられた際に、図１に示すように、円筒部２０内に収まっている部分である。
【００２８】
円筒部４１は、図２に示すように、背面部３９のｚ軸方向の正方向側の面上に設けられており、ｚ軸方向に延在する中心軸を有している。円筒部４１の中心軸と円筒部２０の中心軸とは略一致している。
【００２９】
保持部３８は、ソケット１６を保持する役割を果たし、図２に示すように、背面部４２及び押さえ部４６により構成されている。背面部４２は、円形部３６の背面部３９からｘ軸方向の負方向側に向かって延在している長方形状の板状部材である。該背面部４２上には、図２に示すように、ソケット１６が載置される。
【００３０】
押さえ部４６は、ｘ軸方向に垂直な板状部材であり、背面部４２に設けられている。ただし、押さえ部４６のｚ軸方向の負方向側の端部と背面部４２のｚ軸方向の正方向側の面との間には隙間Ｓｐが設けられている。同様に、円筒部４１と背面部４２のｚ軸方向の正方向側の面との間にも隙間Ｓｐが設けられている。これにより、押さえ部４６のｘ軸方向の負方向側の空間と円筒部４１内とが隙間Ｓｐを介して連通している。
【００３１】
また、ブッシング１４は、図２に示すように、２つに分離可能である。具体的には、ブッシング１４は、ｙ軸方向の正方向側の半分とｙ軸方向の負方向側の半分にＶ字型に分かれる。これにより、後述するソケット１６がブッシング１４に取り付けられることが可能である。
【００３２】
ソケット１６は、１枚の金属板（例えば、ばね用りん青銅）により作製され、図１及び図２に示すように、ブッシング１４に取り付けられ、該ブッシング１４によりハウジング１２と絶縁されている。該ソケット１６は、図２に示すように、円筒部４８、背面部５０及び取り付け部５２により構成されている。円筒部４８は、図２に示すように、背面部５０のｘ軸方向の正方向側に接続されており、ｚ軸方向から平面視したときに、円環の一部が切り欠かれた形状を有している。円筒部４８の半径は、ブッシング１４の円筒部４１の半径よりも小さい。よって、円筒部４８は、同軸コネクタ１０が組立てられた際に、図１に示すように、円筒部４１内に収まっている。更に、円筒部４８は、円筒部２０の中心軸が延在する方向（ｚ軸方向）から平面視したときに円筒部２０の中心に位置している。
【００３３】
背面部５０は、円筒部４１から隙間Ｓｐを通過するように、ｘ軸方向の負方向側に延在している板状部材である。取り付け部５２は、背面部５０のｘ軸方向の負方向側の端部において、ｚ軸方向の正方向側に垂直に折り曲げられることにより設けられており、同軸ケーブル２２０の中心導体２２４と接続される。より詳細には、取り付け部５２は、所定の隙間を介して並ぶ２枚の切断用片５２ａ，５２ｂにより構成されている。そして、同軸ケーブル２２０の中心導体２２４が切断用片５２ａ，５２ｂの間の所定の隙間に挟まれるように、ｚ軸方向の正方向側から負方向側へと、同軸ケーブル２２０がかしめ部２６により切断用片５２ａ，５２ｂに押さえつけられる。これにより、切断用片５２ａ，５２ｂは、かしめ部２６からの力により同軸ケーブル２２０の絶縁体２２３に圧接する。そして、切断用片５２ａ，５２ｂは、同軸ケーブル２２０の絶縁体２２３の一部を切断（破壊）して、中心導体２２４と接続される。
【００３４】
以上のように構成された同軸コネクタ１０は、以下に説明する手順により組立てられる。図５及び図６は、同軸コネクタ１０の組立て途中における分解斜視図である。
【００３５】
まず、図５に示すように、ブッシング１４に対してソケット１６を取り付ける。より詳細には、円筒部４１内に円筒部４８が収まると共に、背面部５０が隙間Ｓｐに収まるように、ブッシング１４によりソケット１６をｙ軸方向の両側から挟み込む。
【００３６】
次に、図６に示すように、ハウジング１２に対してブッシング１４を取り付ける。より詳細には、円筒部２０内に円形部３６が収まると共に、固定部２４間に保持部３８が収まるように、ｚ軸方向の正方向側からブッシング１４をハウジング１２に対して押し込むようにして取り付ける。
【００３７】
次に、図６に示すように、同軸ケーブル２２０を取り付け部５２上に載置する。この際、同軸ケーブル２２０は、先端において、外部導体２２２及び絶縁体２２３が露出するように加工されている。ただし、中心導体２２４は、露出していない。絶縁体２２３が取り付け部５２上に位置し、外部導体２２２がかしめ部２８間に位置し、絶縁被膜２２１が接触部３０上に位置するように、同軸ケーブル２２０をソケット１６に載置する。
【００３８】
同軸ケーブル２２０を載置すると、かしめ部２６，２８のかしめ工程を行う。かしめ部２６のかしめ工程では、かしめ部２６を折り曲げることにより、絶縁体２２３を切断用片５２ａ，５２ｂに押し付ける。この際、絶縁体２２３の一部が切断用片５２ａ，５２ｂにより切断され、切断用片５２ａ，５２ｂと中心導体２２４とが接続される。
【００３９】
また、かしめ部２８のかしめ工程では、かしめ部２８を折り曲げることにより、かしめ部２８を外部導体２２２に巻き付ける。この際、接触部３０が絶縁被膜２２１に圧接して、突起６０ａ，６０ｂが絶縁被膜２２１に突き刺さる。以上の工程を経て、同軸コネクタ１０は、図１に示すような構成を有するようになる。
【００４０】
次に、同軸コネクタ１０のレセプタクル２３０への着脱について説明する。レセプタクル２３０は、図３に示すように、外部導体２３２及び中心導体２３４により構成されている。外部導体２３２は、円筒形状の電極である。中心導体２３４は、外部導体２３２の中心においてｚ軸方向の負方向側に突出している電極である。
【００４１】
前記同軸コネクタ１０をレセプタクル２３０に装着する際には、図３（ａ）及び図３（ｂ）に示すように、外部導体２３２を開口Ｏ１から円筒部２０に挿入する。これにより、円筒部２０の内周面と外部導体２３２の外周面とが接触し、同軸ケーブル２２０の外部導体２２２とレセプタクル２３０の外部導体２３２とがハウジング１２を介して電気的に接続されるようになる。この際、円筒部２０は、外部導体２３２により押し広げられる。これにより、円筒部２０の内周面が、外部導体２３２の外周面に圧接するようになり、同軸コネクタ１０がレセプタクル２３０から容易に外れることが防止されている。
【００４２】
また、外部導体２３２が円筒部２０に挿入されると同時に、図３（ａ）及び図３（ｂ）に示すように、中心導体２３４がソケット１６の円筒部４８に挿入される。これにより、中心導体２３４の外周面と円筒部４８の内周面とが接触し、同軸ケーブル２２０の中心導体２２４とレセプタクル２３０の中心導体２３４とがソケット１６を介して電気的に接続されるようになる。
【００４３】
（効果）
以上のように構成された同軸コネクタ１０によれば、同軸コネクタ１０を同軸ケーブル２２０に強固に固定できる。より詳細には、同軸コネクタ１０では、絶縁被膜２２１に接触する接触部３０が絶縁被膜２２１に接触する面には、突起６０ａ，６０ｂが設けられている。これにより、かしめ部２８が外部導体２２２の周囲に巻き付けられると、接触部３０が絶縁被膜２２１に圧接し、突起６０ａ，６０ｂが絶縁被膜２２１に刺さるようになる。その結果、同軸コネクタ１０が同軸ケーブル２２０に強固に固定される。
【００４４】
更に、同軸コネクタ１０によれば、特性インピーダンスが所定の特性インピーダンスからずれることを抑制できる。より詳細には、同軸コネクタ１０では、突起６０ａ，６０ｂの先端には絶縁部が形成されている。これにより、同軸コネクタ１０における突起６０ａ，６０ｂの金属部分と中心導体２２４との距離は、特許文献１に記載の同軸コネクタにおける突起と中心導体との距離よりも絶縁部の厚みの分だけ大きくなる。よって、同軸コネクタ１０において突起６０ａ，６０ｂと中心導体２２４との間に形成される容量は、特許文献１に記載の同軸コネクタにおける突起と中心導体との間に形成される容量よりも小さくなる。その結果、本実施形態に係る同軸コネクタでは、特許文献１に記載の同軸コネクタに比べて、特性インピーダンスが所望の特性インピーダンスからずれにくくなる。
【００４５】
（コンピュータシミュレーション）
本願発明者は、同軸コネクタ１０が奏する効果をより明確にするために、以下に説明するコンピュータシミュレーションを行った。具体的には、絶縁部が突起６０ａ，６０ｂの全体に形成された第１のモデル、絶縁部が突起６０ａ，６０ｂの先端から１００μｍの範囲に形成された第２のモデル、及び、絶縁部が形成されていない第３のモデルを作製した。第１のモデル、第２のモデルは、本発明の実施例に相当し、第３のモデルは、比較例に相当する。そして、第１のモデルないし第３のモデルにおいて、突起６０ａ，６０ｂと中心導体２２４とのギャップを変化させたときの同軸コネクタ１０の特性インピーダンスを算出した。図７は、コンピュータシミュレーションの結果を示したグラフである。縦軸はインピーダンスを示し、横軸は中心導体２２４とのギャップを示している。以下に、その他のシミュレーション条件を列挙する。
【００４６】
中心導体２２４の直径：０．１２ｍｍ
絶縁体２２４の直径：０．４３ｍｍ
絶縁体２２４の誘電率：２.３
外部導体２２２の直径：０．５ｍｍ
突起６０ａ，６０ｂのｚ軸方向の高さ：０．０５ｍｍ
絶縁部の厚み：１０μｍ
絶縁部の誘電率：２．３
【００４７】
図７によれば、第３のモデルでは、中心導体２２４に突起６０ａ，６０ｂが近づくにつれて、特性インピーダンスが小さくなっている。一方、第１のモデル及び第２のモデルでは、中心導体２２４に突起６０ａ，６０ｂが近づいても、特性インピーダンスが殆ど変動していない。特に、第１のモデルでは、特性インピーダンスが変動していない。これにより、同軸コネクタ１０では、特性インピーダンスの変動が抑制されることが分かる。
【００４８】
次に、本願発明者は、第１のモデルにおいて、絶縁部の誘電率を変化させたときの特性インピーダンスを算出した。図８は、コンピュータシミュレーションの結果を示したグラフである。縦軸はインピーダンスを示し、横軸は絶縁部の誘電率を示している。なお、誘電率は、２．３，５，１０，２０に変化させた。誘電率が２．３である材料は、フッ素に相当し、誘電率が５である材料はエポキシに相当し、誘電率が１０である材料はアルミナに相当する。
【００４９】
図８によれば、誘電率が大きくなるにしたがって、特性インピーダンスが小さくなっていくことが分かる。したがって、絶縁部の誘電率は小さい方が好ましい。例えば、特性インピーダンスを４５Ω以上５０Ω以下に収めるためには、絶縁部の誘電率を６以下にすることが好ましい。
【００５０】
（変形例）
以下に、変形例に係る同軸コネクタについて図面を参照しながら説明する。図９は、変形例に係る同軸コネクタ１０ａの外観斜視図である。図１０は、変形例に係る同軸コネクタ１０ａの分解斜視図である。
【００５１】
同軸コネクタ１０ａでは、接触部３０の代わりにかしめ部３０ａが設けられている。同軸コネクタ１０ａのその他の構成は、同軸コネクタ１０と同じであるので説明を省略する。
【００５２】
かしめ部３０ａは、同軸コネクタ１０ａの組立て前の状態において、図１０に示すように、かしめ部２８のｘ軸方向の負方向側に設けられているＵ字状の板状部材である。かしめ部３０ａは、図９に示すように曲げられることにより、絶縁被膜２２１の周囲に巻き付けられて、同軸ケーブル２２０の絶縁被膜２２１を保持する。これにより、かしめ部３０ａは、同軸ケーブル２２０をハウジング１２に固定する役割を果たす。
【００５３】
更に、かしめ部３０ａが絶縁被膜２２１に接触する面には、図１０に示すように、絶縁被膜２２１に向かって突出する複数（２つ）の突起６０が設けられている。突起６０の表面には、樹脂等の絶縁材が塗布されることによって絶縁部が形成されている。
【００５４】
以上のように構成された同軸コネクタ１０ａでは、かしめ部３０が絶縁被膜２２１に巻き付けられると、突起６０は絶縁被膜２２１に突き刺さるようになる。これにより、同軸コネクタ１０ａは、同軸ケーブル２２０に強固に固定されるようになる。また、同軸コネクタ１０ａでは、同軸コネクタ１０と同様に、突起６０に絶縁部が設けられているので、特性インピーダンスが所定の特性インピーダンスからずれることが抑制される。
【産業上の利用可能性】
【００５５】
以上のように、本発明は、同軸コネクタに有用であり、特に、同軸ケーブルに強固に固定できると共に、特性インピーダンスが所定の特性インピーダンスからずれることを抑制できる点において優れている。
【符号の説明】
【００５６】
１０，１０ａ  同軸コネクタ
１２  ハウジング
１４  ブッシング
１６  ソケット
２０  円筒部
２３  保持部
３０  接触部
２６，２８，３０ａ  かしめ部
６０，６０ａ，６０ｂ  突起
２２０  同軸ケーブル
２２１  絶縁被膜
２２２  外部導体
２２３  絶縁体
２２４  中心導体
２３０  レセプタクル
２３２  外部導体
２３４  中心導体
【図１】
0005807512.tif 000002
【図２】
0005807512.tif 000003
【図３】
0005807512.tif 000004
【図４】
0005807512.tif 000005
【図５】
0005807512.tif 000006
【図６】
0005807512.tif 000007
【図７】
0005807512.tif 000008
【図８】
0005807512.tif 000009
【図９】
0005807512.tif 000010
【図１０】
0005807512.tif 000011